(57)【要約】【課題】従来のガソリン車向けのエコルート案内では、ガソリン車を除いた新たなタイプの車両には対応しておらず、適切なエコルート案内を行うことは難しかった。【解決手段】本発明のルート探索装置は、駆動源にモータを使用するタイプの車両から回生電力量に関する情報を取得する取得部と、取得部で取得した回生電力量に関する情報を地図情報に対応付けて記憶する記憶手段と、記憶手段に記憶された回生電力量に基いてルートを探索するルート探索手段と、ルート探索手段で探索された回生電力量に基くルートを走行する際の有料道路の利用料金を算出する算出手段と、該算出された回生電力量に基くルートの有料道路の利用料金を加味してルートを選択する選択手段と、を備えたことを特徴とする。【選択図】図２
2012098061.tif 000002
【特許請求の範囲】
【請求項１】
駆動源にモータを使用するタイプの車両から回生電力量に関する情報を取得する取得部と、
前記取得部で取得した回生電力量に関する情報を地図情報に対応付けて記憶する記憶手段と、
前記記憶手段に記憶された回生電力量に基いてルートを探索するルート探索手段と、
前記ルート探索手段で探索された回生電力量に基くルートを走行する際の有料道路の利用料金を算出する算出手段と、
該算出された回生電力量に基くルートの有料道路の利用料金を加味してルートを選択する選択手段と、
を備えたルート探索装置。
【請求項２】
駆動源にモータを使用するタイプの複数の車両から送信される回生電力量に関する情報を受信する受信部と、
前記受信部で受信された回生電力量に関する情報を地図データに対応付けて記憶する記憶手段と、
前記記憶手段に記憶された回生電力量に基いてルートを探索するルート探索手段と、
前記ルート探索手段で探索された回生電力量に基くルートを走行する際の有料道路の利用料金を算出する算出手段と、
前記算出手段で算出された利用料金に基づいてルートを車両に配信する配信手段と、を備えたルート探索装置。
【請求項３】
前記受信部は、さらに、駆動源にモータを使用しないタイプの複数の車両から送信される燃料消費量に関する情報を受信し、
前記記憶手段は、前記受信部で受信された回生電力量及び燃料消費量に関する情報を地図データに対応付けて記憶し、
前記ルート探索手段は、前記記憶手段に記憶された回生電力量、燃料消費量に基いて、車両の電力消費量が最小となるルート、燃料消費量が最小となるルートを車両のタイプ別に探索し、
前記配信手段は、前記ルート探索手段でタイプ別に探索されたルートを、各タイプの車両に配信する請求項２に記載のルート探索装置。
【請求項４】
駆動源にモータを使用するタイプの車両から回生電力量に関する情報を取得する取得部と、
前記取得部で取得した回生電力量に関する情報を地図情報に対応付けて記憶する記憶手段と、
前記記憶手段に記憶された回生電力量に基いてルートを探索するルート探索手段と、
前記記憶手段に記憶された地図情報に基いて、出発地と目的地とを結ぶ複数のルートのうち、最短の時間で到達するルートを探索する最速ルート探索手段と、
前記回生電力量に基くルートを走行する場合に要する時間と、前記最速ルートを走行する場合に要する時間との差が、所定の範囲内であるか否かを判断する判断手段と、
前記判断手段により所定の範囲内であると判断した場合に、回生電力量に基くルートを案内する案内手段と、
を有する、ルート探索装置。
【請求項５】
前記受信部は、さらに渋滞情報を受信し、
前記探索手段は、渋滞時の燃料消費量を加味して燃料消費量が最小となるルートを探索する請求項３記載のルート探索装置。
【請求項６】
駆動源にモータを使用するタイプの車両タイプ情報と、回生電力量に関する情報とを取得する取得手段と、
該取得手段で取得した車両タイプ情報と回生電力量に関する情報を送信する送信手段と、を備えた車両側装置。
【発明の詳細な説明】
【技術分野】
【０００１】
本発明は、プローブデータを用いたルート探索装置及び車両側装置に関する。
【背景技術】
【０００２】
一般的な、ガソリンを燃焼させて走行するガソリン車を対象として、車速、自車位置等のプローブデータを利用して、目的地に正確に且つ速く到達するルートを探索し、結果として二酸化炭素の排出量の削減を狙うエコルートを案内するサービスが知られている（例えば、特許文献１）。
【０００３】
図１は従来のルート探索装置の構成図を示す。従来のルート探索装置１００は、地図情報を記憶し、複数の車両１０−１〜３から目的地情報と、当該車両に対応する燃費特性と、を取得し、取得された目的地情報に基づいて地図情報からルート探索を行う場合に、複数の車両毎の燃費特性に応じて、対応する車両に提供するルートを決定する。複数の車両にルート案内を行って渋滞を回避させることができる一方で、各車両の燃費を考慮しながら全体としての排出ガス総量を低減させることができるというものである。
【０００４】
従来のルート案内サービスは、あくまでガソリン車向けに提供されるものである。今後、プラグインハイブリッド車（ＰＨＥＶ車）や電気自動車（ＥＶ車）等、従来のガソリン車とは異なる新たなタイプの車両が普及することが予想されるが、これらの新たなタイプの車両はガソリン車とは動力系統の仕組みが大きく異なっている。例えば、これらの新たなタイプの車両には、車両が停止しているときに、駆動機構が停止したり、ブレーキをかける際に生じるエネルギーを回生したりする仕組みが備わっている。
【０００５】
そこで、これらのＰＨＥＶ車や、ＥＶ車に特有な電力等の使用エネルギーをより低減することが可能なエコなルートが存在する可能性がある。
【０００６】
ここで、「エコ」という用語は「エコロジー」の意味を含むことは勿論であるが、実際のユーザの車両のルート案内の使用態様を考えた場合、「エコノミー」の要素も重要視されていると考えられる。エコロジーの観点からルートを探索して車両を運転し、二酸化炭素排出量の削減に大きく貢献したとしても、その代償として多額の費用が生じたとすればユーザはそのようなエコロジーなルートを選択しなくなるはずである。従って、エコロジーの側面のみに着目し、エコノミーの面に着目しないとすれば、結果としてエコロジーの側面もないがしろにされる恐れがある。そのため、エコロジーの観点でルート案内を行うことを前提として、エコノミーの観点からユーザを惹きつけ、結果として環境にやさしいルート探索が推進されることが望ましいといえる。
【先行技術文献】
【特許文献】
【０００７】
【特許文献１】特開２００９−１２８０６５
【発明の概要】
【発明が解決しようとする課題】
【０００８】
従来のガソリン車向けのルート探索では、ガソリン車を除いた新たなタイプの車両には対応しておらず、適切なルート探索を行うことは難しかった。
さらに、プローブ情報を利用してルートを探索する場合に、従来のガソリン車の燃料消費量に関するデータベースでは、必要な情報が異なり、そのままでは利用できないという問題があった。
さらに、従来のガソリン車とＰＨＥＶ車や、ＥＶ車等の新たなタイプの車両とが混在する現状において、各タイプ別に情報を蓄積して、それぞれ最適なエコルートを案内する必要があるが、このような課題について従来のエコルート案内装置では対応できないという問題があった。
また、エコルートを探索する場合は、燃料消費量や電力消費量が最小となるルートを探索するが、例えば、これらエネルギー消費量にのみ着目してルートを探索した場合、有料道路等を考慮しないため、例えエコルートであっても非常に料金が高くなる場合があり、ユーザがエコルートを利用するのを躊躇させる要因となる可能性がある。
逆に言えば、エコルートと料金の安さを両立することができれば、更なるエコルートの利用を促進させるものとなる。
【０００９】
本発明は、車両のタイプ（ガソリン車、ハイブリッド車、プラグインハイブリッド車、電気自動車等）に応じて適切なルート探索を実現できるルート探索装置を提供することを目的とする。
【課題を解決するための手段】
【００１０】
本発明のルート探索装置は、駆動源にモータを使用するタイプの車両から回生電力量に関する情報を取得する取得部と、取得部で取得した回生電力量に関する情報を地図情報に対応付けて記憶する記憶手段と、記憶手段に記憶された回生電力量に基いてルートを探索するルート探索手段と、ルート探索手段で探索された回生電力量に基くルートを走行する際の有料道路の利用料金を算出する算出手段と、該算出された回生電力量に基くルートの有料道路の利用料金を加味してルートを選択する選択手段と、を備えたことを特徴とする。
【００１１】
他の実施態様において、本発明のルート探索装置は、駆動源にモータを使用するタイプの複数の車両から送信される回生電力量に関する情報を受信する受信部と、受信部で受信された回生電力量に関する情報を地図データに対応付けて記憶する記憶手段と、記憶手段に記憶された回生電力量に基いてルートを探索するルート探索手段と、ルート探索手段で探索された回生電力量に基くルートを走行する際の有料道路の利用料金を算出する算出手段と、算出手段で算出された利用料金に基づいてルートを車両に配信する配信手段と、を備えたことを特徴とする。
【００１２】
さらに他の実施態様において、本発明のルート探索装置は、駆動源にモータを使用するタイプの車両から回生電力量に関する情報を取得する取得部と、取得部で取得した回生電力量に関する情報を地図情報に対応付けて記憶する記憶手段と、記憶手段に記憶された回生電力量に基いてルートを探索するルート探索手段と、記憶手段に記憶された地図情報に基いて、出発地と目的地とを結ぶ複数のルートのうち、最短の時間で到達するルートを探索する最速ルート探索手段と、回生電力量に基くルートを走行する場合に要する時間と、最速ルートを走行する場合に要する時間との差が、所定の範囲内であるか否かを判断する判断手段と、判断手段により所定の範囲内であると判断した場合に、回生電力量に基くルートを案内する案内手段と、を有することを特徴とする。
【００１３】
本発明の車両側装置は、駆動源にモータを使用するタイプの車両タイプ情報と、回生電力量に関する情報とを取得する取得手段と、該取得手段で取得した車両タイプ情報と回生電力量に関する情報を送信する送信手段と、を備えたことを特徴とする。
【発明の効果】
【００１４】
本発明のプローブデータを用いたエコルート探索装置によれば駆動源としてモータを使用する車両に対して、該車両に特有の要素（回生電力）を考慮してエコルートを案内することができ、さらに、車両のタイプに応じて適切なエコルートを探索することができるエコルート探索装置を提供することができる。
【図面の簡単な説明】
【００１５】
【図１】従来のルート探索装置の構成図である。
【図２】本発明の実施例１のルート探索装置の構成図である。
【図３】本発明の実施例１のルート探索方法を説明するためのフローチャートである。
【図４】本発明の実施例１のルート探索装置において回生電力量に関する情報を地図情報に対応付けて記憶するデータの構成例である。
【図５】本発明の実施例１のルート探索装置において、複数のルートを地図データ上に示した図である。
【図６】本発明の実施例１のルート探索装置において複数のルートと料金との関係を示した一覧表である。
【図７】本発明の実施例２のルート探索装置の構成図である。
【図８】本発明の実施例２のルート探索方法を説明するためのフローチャートである。
【図９】本発明の実施例３のルート探索方法を説明するためのフローチャートである。
【図１０】本発明の実施例３のルート探索装置の記憶手段に記憶されるデータの構成例である。
【図１１】本発明の実施例３のルート探索装置において、ガソリン車及び電気自動車のそれぞれについて複数のルートと料金との関係を示した一覧表である。
【図１２】本発明の実施例４のルート探索装置の構成図である。
【図１３】本発明の実施例４のルート探索方法を説明するためのフローチャートである。
【図１４】本発明の実施例４において、電気自動車について複数のルートと料金及び最速ルートとの時間差との関係を示した一覧表である。
【図１５】本発明の実施例５のルート探索方法を説明するためのフローチャートである。
【発明を実施するための形態】
【００１６】
以下図面を参照して、本発明に係るルート探索装置及び車両側装置について説明する。ただし、本発明の技術的範囲はそれらの実施の形態には限定されず、特許請求の範囲に記載された発明とその均等物に及ぶ点に留意されたい。
【実施例１】
【００１７】
本発明の実施例１に係るルート探索装置について説明する。図２に実施例１のルート探索装置の構成図を示す。実施例１に係るルート探索装置においては、車両Ａ〜Ｃ（１１〜１３）の車載端末とセンターサーバ１とが連携してルート探索を行う。本発明の実施例１のルート探索装置は、回生電力量に基いてルートを探索し、算出された回生電力量に基くルートの有料道路の利用料金を加味してルートを選択する点を特徴としている。本発明のルート探索装置であるセンターサーバ１は、取得部２と、記憶手段３と、ルート探索手段４と、算出手段６と、選択手段７と、を有する。
【００１８】
取得部２は、駆動源にモータを使用するタイプの車両Ａ〜Ｃ（１１〜１３）に搭載された車両側装置である取得手段１１１、１２１、１３１及び送信手段１１２、１２２、１３２から回生電力量に関する情報、車両の出発地及び目的地の位置情報を取得する。車両側装置の取得手段１１１、１２１、１３１は、駆動源にモータを使用するタイプの車両タイプ情報と、回生電力量に関する情報とを取得する。車両側装置の送信手段１１２、１２２、１３２は、取得手段で取得した車両タイプ情報及び回生電力量に関する情報をセンターサーバ１に送信する。ここで、駆動源にモータを使用するタイプの車両の例として、ハイブリッド（ＨＶ）車、プラグインハイブリッド（ＰＨＶ）車、電気自動車（ＥＶ）等が挙げられる。また、回生電力に関する情報とは、車両がある特定の区間を走行した際に得られる回生電力量に関する情報をいう。
【００１９】
記憶手段３は、取得部２で取得した回生電力量に関する情報を地図情報に対応付けて記憶する。ここで、地図情報は、地図情報記憶部５内に記憶された車両が走行するためのリンクに関する情報を含む。
【００２０】
ルート探索手段４は、記憶手段３に記憶された回生電力量に基づいてルートを探索する。ルート探索は、車両の出発地点と目的地点とを結ぶ複数のルートのうち、回生電力量を考慮して電力消費量または燃料消費量が最低となるルートを選択する。算出手段６は、ルート探索手段４で探索された回生電力量に基くルートを走行する際の有料道路の利用料金を算出する。選択手段７は、該算出された回生電力量に基くルートの有料道路の利用料金を加味してルートを選択する。
【００２１】
次に、本発明の実施例１に係るルート探索方法について図面を参照して説明する。図３は、本発明の実施例１のルート探索方法を説明するためのフローチャートである。まず、ステップＳ１０１において、駆動源にモータを使用するタイプの車両から送信される回生電力量に関する情報を取得する。具体的には、駆動源にモータを使用するタイプの車両Ａ〜Ｃ（１１〜１３）に搭載された車両側装置である取得手段１１１、１２１、１３１で取得された回生電力量に関する情報を送信手段１１２、１２２、１３２を介して車両から取得する。
【００２２】
次に、ステップＳ１０２において、記憶手段３が、取得部２で取得した回生電力量に関する情報を地図情報に対応付けて記憶する。回生電力量に関する情報を地図情報に対応付けて記憶するデータの一例を図４に示す。このデータには、リンクＩＤ２１、進行方向２２、回生電力量２３の各データが含まれる。ここで、リンクＩＤは、車両が走行するリンクに固有の番号であり、車両に搭載されたＧＰＳ装置によって取得された位置データと、ルート探索装置であるセンターサーバ１内の地図情報記憶部５に記憶された地図情報とを対応させることによって、車両が走行したリンクを特定することができる。道路は通常、上り方向及び下り方向の車線を含むため各リンクを進行方向によって分類している。回生電力量は道路の勾配によって大きく異なるため、進行方向ごとに回生電力量を分類して記憶手段３に記憶する。車両が走行したリンクと回生電力量とを対応付けて記憶装置３に記憶し、車両が走行するルートに含まれるリンクを特定することにより、そのルートを走行する場合の回生電力量を推定することができる。
【００２３】
図４においては、３つのリンクのみについてデータを記憶する例を示しているが、実際には車両が走行した複数のリンクについてのデータが記憶手段３に記憶される。また、センターサーバ１は、複数の車両から回生電力量等の情報を受信するため、特定のリンクについて複数のデータを受信する場合も想定される。そのような場合には、複数のデータについて平均化されたデータを記憶手段３に記憶するようにしてもよい。
【００２４】
次に、ステップＳ１０３において、ルート探索手段４が、記憶手段３に記憶された回生電力量に基づいてルートを探索する。ここで、ルート探索手段４は、位置情報と道路の位置とを対応させて記憶された地図情報記憶部５の地図データに基づいて、出発地と目的地とを結ぶ複数のルートを決定する。図５に出発地点から目的地点までのルートの一例を示す。ここでは、地図データ１０１上に、出発地点１０２と目的地点１０３とを結ぶ４つのルートＲ1〜Ｒ4（３１〜３４）が形成されると仮定する。地図データには一般道か高速道等の有料道路かの道路の種別や、渋滞の有無に関するデータが含まれている。
【００２５】
図６に、記憶手段３に記憶された回生電力量に基づいてルートを探索したルート探索結果の一覧表を示す。図５に示した一覧表にはルートＲ1〜Ｒ4のそれぞれについて、出発地から目的地までの各ルートの距離５１、各ルートを車両が走行した場合に消費する電費×距離５２、回生電力量５３、電費×距離５２から回生電力量５３を減算した電力消費量から求められる電気代５４、有料道路料金５５、電気代５４及び有料道路料金５５の合計金額である総料金５６、エコルート表示欄５７が示されている。図６に示した例では、回生電力量に基づいてルートを探索する場合は、電気代５４は電費×距離５２と回生電力量５３のみによって決められ、有料道路料金５５を考慮していないので、電気代５４が最低となるルートＲ2が暫定的に最適なルートとなる。
【００２６】
次に、ステップＳ１０４において、算出手段６が、ルート探索手段４で探索された回生電力量に基くルートを走行する際の有料道路の利用料金を算出する。有料道路の利用料金は、地図情報記憶部５に記憶された有料道路に関する情報と、ルート探索手段４で探索された回生電力量に基くルートＲ1〜Ｒ4を走行した場合に利用する道路の位置情報とに基づいて算出される。有料道路の利用料金を各ルートＲ1〜Ｒ4について算出した結果を図６の一覧表の有料道路料金５５の欄に示す。
【００２７】
次に、ステップＳ１０５において、選択手段７が、算出された回生電力量に基くルートの有料道路の利用料金を加味してルートを選択する。本実施例では、ルートを選択する際に総料金を基準としている。総料金の算出結果を図６に示す。総料金５６は、電気代５４と有料道路料金５５の合計で算出される。総料金を算出した結果、有料道路の利用料金を加味すると、ルートＲ1が、総料金が最低となるルートとして選択される。これは上述したように、回生電力のみを考慮した場合に暫定的に推奨されるルートＲ2とは異なったものとなっており、有料道路の利用料金を加味することにより最適なルートを選択することができることがわかる。その結果、回生電力量を考慮してエコロジーなルートをまず選択し、その中からエコノミーなルートを探索するようにしているので、エコロジー及びエコノミーの両面を考慮したルート探索を行うことができる。
【００２８】
なお、本実施例ではルート探索装置をセンターサーバとした例を示したが、ルート探索装置を車両に搭載するようにしてもよい。この場合、ルート探索を行う車両は、他の車両から回生電力量に関する情報を取得するようにしてもよいし、回生電力量に関する情報を予め記憶したセンターサーバから取得するようにしてもよい。
【実施例２】
【００２９】
次に、本発明の実施例２に係るルート探索装置について説明する。図７に実施例２のルート探索装置の構成図を示す。実施例２に係るルート探索装置においては、センターサーバ１がルート探索した結果を車両Ａ〜Ｃ（１１〜１３）の車載端末に配信する点を特徴としている。本発明の実施例２のルート探索装置であるセンターサーバ１は、受信部８と、記憶手段３と、ルート探索手段４と、算出手段６と、配信手段９と、を有する。
【００３０】
駆動源にモータを使用するタイプの複数の車両Ａ〜Ｃ（１１〜１３）に搭載された車両側装置の取得手段１１１、１２１、１３１は、駆動源にモータを使用するタイプの車両タイプ情報と、回生電力量に関する情報とを取得する。車両側装置の送信手段１１２、１２２、１３２は取得手段で取得した車両タイプ情報と回生電力量に関する情報をセンターサーバ１の受信部８に送信する。受信部８は、駆動源にモータを使用するタイプの複数の車両の車両側装置の送信手段１１２、１２２、１３２から送信される回生電力量に関する情報、車両タイプ情報を受信する。受信部８は、車両側装置の送信手段１１２、１２２、１３２から車両の出発地及び目的地の位置情報が送信された場合にはこれらの情報も受信する。
【００３１】
記憶手段３は、受信部８で受信した回生電力量に関する情報を地図情報に対応付けて記憶する。ここで、地図情報は、地図情報記憶部５内に記憶された車両が走行するためのリンクに関する情報を含む。
【００３２】
ルート探索手段４は、記憶手段３に記憶された回生電力量に基づいてルートを探索する。ルート探索は、車両の出発地点と目的地点とを結ぶ複数のルートのうち、回生電力量を考慮して電力消費量または燃料消費量が最低となるルートを選択する。
【００３３】
算出手段６は、ルート探索手段４で探索された回生電力量に基くルートを走行する際の有料道路の利用料金を算出する。
【００３４】
配信手段９は、算出手段６で算出された利用料金に基づいてルートを車両Ａ〜Ｃ（１１〜１３）に配信する。配信されたルートに関する情報は、車両Ａ〜Ｃ（１１〜１３）に搭載された車両側装置である取得手段１１１、１２１、１３１によって受信される。
【００３５】
次に、本発明の実施例２に係るルート探索方法について図面を参照して説明する。図８は、本発明の実施例２のルート探索方法を説明するためのフローチャートである。まず、ステップＳ２０１において、受信部８が、駆動源にモータを使用するタイプの複数の車両から送信される回生電力量に関する情報を受信する。具体的には、駆動源にモータを使用するタイプの車両Ａ〜Ｃ（１１〜１３）に搭載された車両側装置である取得手段１１１、１２１、１３１が取得した回生電力量に関する情報を送信手段１１２、１２２、１３２を介して受信する。
【００３６】
次に、ステップＳ２０２において、記憶手段３が、受信部８で受信された回生電力量に関する情報を地図データに対応付けて記憶する。回生電力量に関する情報を地図情報に対応付けて記憶するデータは実施例１と同様である（図４参照）。
【００３７】
次に、ステップＳ２０３において、ルート探索手段４が、記憶手段３に記憶された回生電力量に基づいてルートを探索する。ここで、ルート探索手段４は、位置情報と道路の位置とを対応させて記憶された地図情報記憶部５の地図データに基づいて、出発地と目的地とを結ぶ複数のルートを決定する。出発地点から目的地点までのルートは実施例１と同様である（図５及び図６参照）。
【００３８】
次に、ステップＳ２０４において、算出手段６が、ルート探索手段４で探索された回生電力量に基くルートを走行する際の有料道路の利用料金を算出する。有料道路の利用料金は、地図情報記憶部５に記憶された有料道路に関する情報と、ルート探索手段４で探索された回生電力量に基くルートＲ1〜Ｒ4を走行した場合に利用する道路の位置情報とに基づいて算出される。有料道路の利用料金の算出結果は実施例１と同様である（図６参照）。
【００３９】
次に、ステップＳ１０５において、配信手段９が、算出手段６で算出された利用料金に基づいてルートを車両に配信する。本実施例では、配信するルートを選択する際に総料金を基準としている。総料金の算出結果は実施例１と同様である（図６参照）。
【００４０】
本実施例においては、ルート探索をセンターサーバで行い、車両はセンターサーバが選択したルートに関する情報を取得するようにしているので、車両側でルート探索を行う必要がない。従って、車両側の装置を簡単な構成とすることができ、センターサーバで探索したルートに関する情報を利用して、最適なルート探索を行うとともに、車両側の装置のコストを下げることができる。
【実施例３】
【００４１】
次に本発明の実施例３に係るルート探索装置について説明する。実施例３のルート探索装置の構成は実施例２と同様である。実施例３に係るルート探索装置は、回生電力量に関する情報だけでなく、燃料消費量に関する情報を受信し、駆動源にモータを使用するタイプの車両と、駆動源にモータを使用しないタイプの車両のそれぞれに適したルートを探索し、各車両に探索したルートを配信する点を特徴としている。本発明の実施例３のルート探索装置であるセンターサーバ１は、受信部８と、記憶手段３と、ルート探索手段４と、算出手段６と、配信手段９と、を有する。
【００４２】
受信部８は、駆動源にモータを使用するタイプの複数の車両Ａ〜Ｃ（１１〜１３）に搭載された車両側装置である取得手段１１１、１２１、１３１が取得した回生電力量に関する情報を送信手段１１２、１２２、１３２を介して受信し、さらに、駆動源にモータを使用しないタイプの複数の車両（図示せず）から送信される燃料消費量に関する情報を受信する。駆動源にモータを使用しないタイプの車両の例としては、回生機構を備えていないガソリン車等が挙げられる。また、受信部８は、ルート探索を行う車両の出発地及び目的地に関する情報も取得する。
【００４３】
記憶手段３は、受信部８で受信された回生電力量及び燃料消費量に関する情報を地図データに対応付けて記憶する。ここで、地図データは地図情報記憶部５内に記憶された車両が走行するためのリンクに関する情報を含む。
【００４４】
ルート探索手段４は、記憶手段３に記憶された回生電力量、燃料消費量に基づいて、車両の電力消費量が最小となるルート、燃料消費量が最小となるルートを車両のタイプ別に探索する。具体的には、ルート探索を行う対象の車両が、駆動源にモータを使用するタイプの車両の場合には、回生電力量に基いて、車両の電力消費量が最小となるルートを探索する。一方、ルート探索を行う対象の車両が、駆動源にモータを使用しないタイプの車両の場合には、燃料消費量に基づいて、車両の燃料消費量が最小となるルートを探索する。
【００４５】
算出手段６は、ルート探索手段４で探索された回生電力量、燃料消費量に基くルートを走行する際の有料道路の利用料金を算出する。
【００４６】
配信手段９は、ルート探索手段４でタイプ別に探索されたルートを、各タイプの車両に配信する。配信されたルートに関する情報は、車両に搭載された車両側装置である取得手段によって受信される。
【００４７】
次に、本発明の実施例３に係るルート探索方法について図面を参照して説明する。図９は、本発明の実施例３のルート探索方法を説明するためのフローチャートである。まず、ステップＳ３０１において、受信部８が、駆動源にモータを使用するタイプの複数の車両から送信される回生電力量に関する情報を受信し、さらに、駆動源にモータを使用しないタイプの複数の車両から送信される燃料消費量に関する情報を受信する。具体的には、駆動源にモータを使用するタイプの車両Ａ〜Ｃ（１１〜１３）に搭載された車両側装置である取得手段１１１、１２１、１３１が取得した回生電力量に関する情報を送信手段１１２、１２２、１３２を介して受信し、さらに、駆動源にモータを使用しないタイプの複数の車両（図示せず）から送信される燃料消費量に関する情報を受信する。また、受信部８は、ルート探索を行う車両の出発地及び目的地に関する情報も取得する。
【００４８】
次に、ステップＳ３０２において、記憶手段３が、受信部８で受信された回生電力量及び燃料消費量に関する情報を地図データに対応付けて記憶する。図１０に、本発明の実施例３のルート探索装置の記憶手段に記憶されるデータの一例を示す。このデータは、リンクＩＤ４１、車両タイプ４２、進行方向４３、回生電力量４４、燃料消費量４５、電力消費量４６に関する各情報を含む。リンクＩＤ４１、車両タイプ４２、進行方向４３、回生電力量４４に関するデータの内容は実施例１のルート探索装置におけるデータと同様であるので詳細な説明は省略する。燃料消費量４５は、ガソリンを駆動源に供給して駆動源を駆動するタイプの車両が特定のリンクを走行する際に消費する単位距離あたりの燃料消費量である。電力消費量４６は、電力を駆動源に供給して駆動源を駆動するタイプの車両が、特定のリンクを走行する際に消費する単位距離あたりの電力消費量である。図１０に示した例では、モータを使用する車両は、回生機構を備え、走行時に電力を主に消費しているので電気自動車が相当する。一方、モータを使用しない車両は、回生機構を有さず、走行時に燃料を主に消費しているのでガソリン車が相当する。
【００４９】
次に、ステップＳ３０３において、ルート探索手段４が、記憶手段３に記憶された回生電力量、燃料消費量に基いて、車両の電力消費量が最小となるルート、燃料消費量が最小となるルートを車両のタイプ別に探索する。ここで、ルート探索手段４は、位置情報と道路の位置とを対応させて記憶された地図情報記憶部５の地図データに基づいて、出発地と目的地とを結ぶ複数のルートを決定する。出発地点から目的地点までのルートは実施例１と同様である（図５参照）。
【００５０】
図１１に、記憶手段３に記憶された回生電力量、燃料消費量に基づいてルートを探索したルート探索結果の一覧表を示す。駆動源にモータを使用するタイプの車両について探索したルートに関する一覧表を図１１（ａ）に示し、駆動源にモータを使用しないタイプの車両について探索したルートに関する一覧表を図１１（ｂ）に示す。図１１（ａ）に示した一覧表は、図６に示した実施例１における一覧表と同様である。図１１（ｂ）に示した一覧表には、ルートＲ1〜Ｒ4のそれぞれについて、出発地から目的地までの距離６１、各ルートを車両が走行した場合に消費する燃料消費量６２、距離６１及び燃料消費量６２から算出される燃料代６３、有料道路料金６４の各データが含まれる。
【００５１】
駆動源にモータを使用するタイプの車両についてルート探索した場合では、図１１（ａ）に示すように、回生電力量に基づいてルートを探索した結果、電気代５４は電費×距離５２と回生電力量５３のみによって決められ、有料道路料金５５を考慮していないので、電気代５４が最低となるルートＲ2が暫定的に最適なルートとなる。一方、駆動源にモータを使用しないタイプの車両についてルート探索した場合では、図１１（ｂ）に示すように、燃料消費量に基づいてルートを探索した結果、燃料代６３は距離６１と燃料消費量６２によって決められ、有料道路料金６４を考慮していないので、燃料代６３が最低となるルートＲ2が暫定的に最適なルートとなる。
【００５２】
次に、ステップＳ３０４において、算出手段６が、ルート探索手段４で探索された回生電力量、燃料消費量に基くルートを走行する際の有料道路の利用料金を算出する。有料道路の利用料金は、地図情報記憶部５に記憶された有料道路に関する情報と、ルート探索手段４で探索された回生電力量に基くルートＲ1〜Ｒ4を走行した場合に利用する道路の位置情報とに基づいて算出される。有料道路の利用料金を各ルートＲ1〜Ｒ4について算出した結果を図１１（ａ）、（ｂ）の一覧表の有料道路料金５５、６４の欄に示す。
【００５３】
次に、ステップＳ３０５において、配信手段９が、ルート探索手段４でタイプ別に探索されたルートを、各タイプの車両に配信する。本実施例では、配信するルートを選択する際に総料金を基準としている。総料金の算出結果を図１１（ａ）、（ｂ）に示す。駆動源にモータを使用するタイプの車両についてルート探索した場合では、図１１（ａ）に示すように、総料金５６は、電気代５４と有料道路料金５５の合計で算出される。総料金を算出した結果、有料道路の利用料金を加味すると、ルートＲ1が、総料金が最低となるルートとして選択される。これは上述したように、回生電力のみを考慮した場合に暫定的に推奨されるルートＲ2とは異なったものとなり、有料道路の利用料金を加味することにより最適なルートを選択することができることがわかる。一方、駆動源にモータを使用しないタイプの車両についてルート探索した場合では、図１１（ｂ）に示すように、総料金６５は、燃料代６３と有料道路料金６４の合計で算出される。総料金を算出した結果、有料道路の利用料金を加味すると、ルートＲ2が、総料金が最低となるルートとして選択される。従って、駆動源にモータを使用するタイプの車両に対しては、ルートＲ1が最適なルートとして配信され、駆動源にモータを使用しないタイプの車両に対しては、ルートＲ2が最適なルートとして配信される。
【００５４】
以上のように、本実施例においては、回生電力量、燃料消費量に基いて、車両の電力消費量が最小となるルート、燃料消費量が最小となるルートを車両のタイプ別に探索されたルートを、各タイプの車両に配信するようにしているので、車両のタイプに合わせて最適なルートを配信することができる。
【実施例４】
【００５５】
本発明の実施例４に係るルート探索装置について説明する。図１２に実施例４のルート探索装置の構成図を示す。実施例４に係るルート探索装置においては、総料金だけでなく、出発地から目的地までに要する時間も考慮してルート探索を行う点を特徴としている。本発明のルート探索装置であるセンターサーバ１は、取得部２と、記憶手段３と、ルート探索手段４と、最速ルート算出手段１１と、判断手段１２と、案内手段１３と、を有する。
【００５６】
取得部２は、駆動源にモータを使用するタイプの車両Ａ〜Ｃ（１１〜１３）に搭載された車両側装置である取得手段１１１、１２１、１３１が取得した回生電力量に関する情報を送信手段１１２、１２２、１３２を介して受信するとともに、車両の出発地及び目的地の位置情報を取得する。
【００５７】
記憶手段３は、取得部２で取得した回生電力量に関する情報を地図情報に対応付けて記憶する。ここで、地図情報は地図情報記憶部５内に記憶された車両が走行するためのリンクに関する情報を含む。
【００５８】
ルート探索手段４は、記憶手段３に記憶された回生電力量に基づいてルートを探索する。ルート探索は、車両の出発地点と目的地点とを結ぶ複数のルートのうち、回生電力量を考慮して電力消費量または燃料消費量が最低となるルートを選択する。
【００５９】
最速ルート探索手段１１は、記憶手段３に記憶された地図情報に基いて、出発地と目的地とを結ぶ複数のルートのうち、最短の時間で到達するルートを探索する。
【００６０】
判断手段１２は、回生電力量に基くルートを走行する場合に要する時間と、最速ルートを走行する場合に要する時間との差が、所定の範囲内であるか否かを判断する。
【００６１】
案内手段１３は、判断手段１２により所定の範囲内であると判断した場合に、回生電力量に基くルートを案内する。
【００６２】
次に、本発明の実施例４に係るルート探索方法について図面を参照して説明する。図１３は、本発明の実施例４のルート探索方法を説明するためのフローチャートである。まず、ステップＳ４０１において、取得部２が、駆動源にモータを使用するタイプの車両から送信される回生電力量に関する情報を取得する。具体的には、駆動源にモータを使用するタイプの車両Ａ〜Ｃ（１１〜１３）に搭載された車両側装置である取得手段１１１、１２１、１３１が取得した回生電力量に関する情報を送信手段１１２、１２２、１３２を介して取得する。
【００６３】
次に、ステップＳ４０２において、記憶手段３が、取得部２で取得した回生電力量に関する情報を地図情報に対応付けて記憶する。回生電力量に関する情報を地図情報に対応付けて記憶するデータの構成は実施例１と同様である（図４参照）。
【００６４】
次に、ステップＳ４０３において、ルート探索手段４が、記憶手段３に記憶された回生電力量に基づいてルートを探索する。ここで、ルート探索手段４は、位置情報と道路の位置とを対応させて記憶された地図情報記憶部５の地図データに基づいて、出発地と目的地とを結ぶ複数のルートを決定する。出発地点から目的地点までのルートは実施例１と同様である（図５参照）。
【００６５】
また、記憶手段３に記憶された回生電力量に基づいてルートを探索したルート探索結果は実施例１と同様である（図６参照）。実施例１と同様に、回生電力量に基づいてルートを探索した結果、電気代５４は電費×距離５２と回生電力量５３のみによって決められ、最速ルートとの時間差を考慮していないので、電気代５４が最低となるルートＲ2が暫定的に最適なルートとなる。
【００６６】
次に、ステップＳ４０４において、最速ルート探索手段１３が、記憶手段３に記憶された地図情報に基いて、出発地と目的地とを結ぶ複数のルートのうち、最短の時間で到達するルートを探索する。具体的には、到達時間を算出しようとするルートに含まれる複数のリンクの各リンクについて、当該リンクでの車両の平均速度およびリンクの距離から各リンクの始点から終点までを移動するのに要する時間を算出し、算出した時間を全てのリンクについて合計し、ルート全体の経過時間を算出する。そして、その中から時間が最短となるルートを選択する。図１４に、駆動源にモータを使用するタイプの車両について複数のルートと料金及び最速ルートとの時間差との関係を示した一覧表を示す。図１４に示した例では、回生電力量を比較したルートＲ1〜Ｒ4とは異なるルートを最速ルートとして選択した例を示している。
【００６７】
次に、ステップＳ４０５において、判断手段１２が、回生電力量に基くルートを走行する場合に要する時間と、最速ルートを走行する場合に要する時間との差が、所定の範囲内であるか否かを判断する。図１４には、各ルートＲ1〜Ｒ4について、最速ルートとの時間差５８を示している。図１４に示すように、本実施例では、ルートＲ1、Ｒ2、Ｒ3、Ｒ4の各ルートは、最速ルートと比較して、それぞれ５ｍｉｎ、３０ｍｉｎ、１０ｍｉｎ、１５ｍｉｎ長い時間を要している。
【００６８】
ここで、例えば、回生電力量に基くルートを走行する場合に要する時間と、最速ルートを走行する場合に要する時間との差が、所定の範囲内であるか否かを判断する場合の所定の範囲を２０ｍｉｎ以内とした場合、図１４から回生電力を考慮した場合の電気代が最低であった、回生電力量に基くルートＲ2は案内されず、ステップＳ４０７において、他のルートが案内される。例えば、図１４に示した例では、ルートＲ2を除いたルートＲ1、Ｒ3、Ｒ4の中から電気代が最低となるルートＲ1を案内する。一方、回生電力量に基くルートを走行する場合に要する時間と、最速ルートを走行する場合に要する時間との差が、所定の範囲内である場合には、ステップＳ４０６において、案内手段１３は回生電力量に基くルートを案内する。
【００６９】
以上のようにして、本実施例のルート探索装置によれば、最速ルートと比較して所要時間が所定の範囲内であるか否かに基づいてルート探索を行っているので、所要時間が短いルートを優先したい場合に、所要時間と回生電力量の両者を考慮した最適なルート探索を行うことができる。なお、本実施例では回生電力量に基いて探索したルートと、最速ルートとの時間差とを考慮してルート探索を行った例を示したが、回生電力量及び有料道路料金に基いて探索したルートと、最速ルートとの時間差考慮してルート探索を行うようにしてもよい。
【実施例５】
【００７０】
次に、本発明の実施例５に係るルート探索装置について説明する。実施例５のルート探索装置の構成は実施例２と同様である（図７参照）。実施例５に係るルート探索装置は、回生電力量、燃料消費量に加えて渋滞情報に関する情報を受信し、駆動源にモータを使用するタイプの車両と、駆動源にモータを使用しないタイプの車両のそれぞれに適したルートを渋滞時の燃料消費量を加味して燃料消費量が最小となるルートを探索し、各車両に探索したルートを配信する点を特徴としている。本発明の実施例５のルート探索装置であるセンターサーバ１は、受信部８と、記憶手段３と、ルート探索手段４と、算出手段６と、配信手段９と、を有する。
【００７１】
受信部８は、駆動源にモータを使用するタイプの車両Ａ〜Ｃ（１１〜１３）に搭載された車両側装置である取得手段１１１、１２１、１３１が取得した回生電力量に関する情報を送信手段１１２、１２２、１３２を介して受信するとともに、車両の出発地及び目的地の位置情報に加えて、渋滞情報を受信する。車両側装置の取得手段１１１、１２１、１３１は、駆動源にモータを使用するタイプの車両タイプ情報と、回生電力量に関する情報とを取得する。車両側装置の送信手段１１２、１２２、１３２は取得手段で取得した車両タイプ情報と回生電力量に関する情報をセンターサーバ１に送信する。渋滞情報は、センターサーバ１の受信部８が、道路交通情報通信システム（ＶＩＣＳ）から受信する。
【００７２】
記憶手段３は、受信部８で受信された回生電力量及び燃料消費量に関する情報を地図データに対応付けて記憶する。ここで、地図データは地図情報記憶部５内に記憶された車両が走行するためのリンクに関する情報を含む。
【００７３】
ルート探索手段４は、記憶手段３に記憶された回生電力量、燃料消費量に基づいて、車両の電力消費量が最小となるルート、燃料消費量が最小となるルートを車両のタイプ別に探索し、且つ渋滞時の燃料消費量を加味して燃料消費量が最小となるルートを探索する。具体的には、ルート探索を行う車両が、駆動源にモータを使用するタイプの車両の場合には、回生電力量に基いて、車両の電力消費量が最小となるルートを探索する。一方、ルート探索を行う車両が、駆動源にモータを使用しないタイプの車両の場合には、渋滞時の燃料消費量を加味して、燃料消費量に基づいて、車両の燃料消費量が最小となるルートを探索する。
【００７４】
算出手段６は、ルート探索手段４で探索された回生電力量、燃料消費量に基くルートを走行する際の有料道路の利用料金を算出する。
【００７５】
配信手段９は、ルート探索手段４でタイプ別に探索されたルートを、各タイプの車両に配信する。配信されたルートに関する情報は、車両に搭載された車両側装置である取得手段によって受信される。
【００７６】
次に、本発明の実施例５に係るルート探索方法について図面を参照して説明する。図１５は、本発明の実施例５のルート探索方法を説明するためのフローチャートである。まず、ステップＳ５０１において、受信部８が、駆動源にモータを使用するタイプの複数の車両から送信される回生電力量に関する情報を受信し、さらに、駆動源にモータを使用しないタイプの複数の車両から送信される燃料消費量に関する情報を受信するとともに、渋滞情報を受信する。具体的には、駆動源にモータを使用するタイプの車両Ａ〜Ｃ（１１〜１３）に搭載された車両側装置である取得手段１１１、１２１、１３１が取得した回生電力量に関する情報を送信手段１１２、１２２、１３２を介して受信し、さらに、駆動源にモータを使用しないタイプの複数の車両（図示せず）から送信される燃料消費量に関する情報を受信し、渋滞情報は、受信部８が、道路交通情報通信システム（ＶＩＣＳ）から受信する。また、受信部８は、ルート探索を行う車両の出発地及び目的地に関する情報も取得する。
【００７７】
次に、ステップＳ５０２において、記憶手段３が、受信部８で受信された回生電力量及び燃料消費量に関する情報を地図データに対応付けて記憶する。本発明の実施例５のルート探索装置の記憶手段に記憶されるデータの構成は実施例３の場合と同様である（図１０参照）。
【００７８】
次に、ステップＳ５０３において、ルート探索手段４が、回生電力量、燃料消費量に基づいて車両の電力消費量が最小となるルート、燃料消費量が最小となるルートを渋滞時の燃料消費量を加味して車両のタイプ別に探索する。即ち、駆動源にモータを使用しないタイプの車両（例えば、ガソリン車）である場合であって、ルートに含まれるリンクにおいて渋滞が発生しているときは、渋滞時の燃費を含めて燃料代を算出する。一方、駆動源にモータを使用するタイプの車両（例えば、ハイブリッド車、プラグインハイブリッド車、電気自動車等）である場合は、ルートに含まれるリンクにおいて渋滞が発生していても、渋滞の有無とは無関係に電気代を算出する。これは、駆動源にモータを使用しないタイプの車両は、渋滞時において駆動源であるエンジンが停止しないのが一般的であるので、渋滞時には燃料を多く消費するからである。一方、駆動源にモータを使用するタイプの車両では、渋滞時に駆動源であるモータが停止するのが一般的であるので、渋滞時には電力をほとんど消費しないからである。
【００７９】
従って、駆動源にモータを使用しないタイプの車両の車両であっても、渋滞時にエンジンが停止するタイプの車両においては、駆動源にモータを使用するタイプの車両と同様に渋滞時の燃料消費量を考慮せずにルート探索を行うことができる。一方、駆動源にモータを使用するタイプの車両の車両であっても、渋滞時にエアコン等、電力を多く消費する機器を使用して渋滞時の電力消費量が大きい場合には渋滞時の電力消費量を考慮してルート探索を行う必要がある。
【００８０】
次に、ステップＳ５０４において、算出手段６が、ルート探索手段４で探索された回生電力量、燃料消費量に基くルートを走行する際の有料道路の利用料金を算出する。
【００８１】
次に、ステップＳ５０５において、配信手段９が、ルート探索手段４でタイプ別に探索されたルートを、各タイプの車両に配信する。
【００８２】
以上のように、本実施例においては、渋滞情報を受信し、渋滞時の燃料消費量を加味して燃料消費量が最小となるルートを探索しているので、渋滞が発生している場合であっても最適なルートを探索することができる。
【００８３】
以上、本発明の説明においては、センターサーバがルート探索を行う例を示したが、プローブデータを取得可能であれば、車載のナビゲーション装置等が行うようにしてもよい。
【００８４】
また、車両タイプに関する情報や、車両の位置に関する情報を車両に搭載されたナビゲーション装置等の車両側装置が送信する例を示したが、携帯端末等がこれらの情報を送信するようにしてもよい。
【００８５】
また、図示したルート探索装置及び車両側装置の各構成要素は機能概念的なものであり、必ずしも物理的に図示のように構成されていることを要しない。
【００８６】
さらに、各構成要素にて行なわれる各処理機能は、その全部または任意の一部が、ＣＰＵ等及びＣＰＵ等においてにて解析実行されるプログラムにて実現され、あるいは、論理回路によるハードウェアとして実現されてもよい。
【符号の説明】
【００８７】
１    センターサーバ
２    取得部
３    記憶手段
４    ルート探索部
５    地図情報記憶部
６    算出手段
７    選択手段
８    受信部
９    配信手段
１１〜１３    車両
【図１】
2012098061.tif 000003
【図２】
2012098061.tif 000004
【図３】
2012098061.tif 000005
【図４】
2012098061.tif 000006
【図５】
2012098061.tif 000007
【図６】
2012098061.tif 000008
【図７】
2012098061.tif 000009
【図８】
2012098061.tif 000010
【図９】
2012098061.tif 000011
【図１０】
2012098061.tif 000012
【図１１】
2012098061.tif 000013
【図１２】
2012098061.tif 000014
【図１３】
2012098061.tif 000015
【図１４】
2012098061.tif 000016
【図１５】
2012098061.tif 000017